(57)【要約】【課題】フィルターの位置検知を容易かつ正確にできるフィルターの清掃装置及びこれを搭載した空気調和機を提供する。【解決手段】清掃装置５０は、ラック部８が設けられ、レールに沿って移動可能に配置され、塵埃を捕集するフィルター１と、フィルター１の往復路を構成する上レール２及び下レール３と、フィルター１を、上レール２から下レール３へ、又は、下レール３から上レール２へ案内するレールＵターン部６と、ラック部８と噛み合ってフィルター１を移動させるモーターギア７と、フィルター１が接触することでフィルター１の位置を検知するリミットスイッチ５と、を有し、フィルター１の長さを、リミットスイッチ５からモーターギア７に至るまでの長さよりも長いものとしている。【選択図】図１
2010071562.tif 000002
【特許請求の範囲】
【請求項１】
空気調和機に搭載される清掃装置であって、
ラック部が設けられ、レールに沿って移動可能に配置され、塵埃を捕集するフィルターと、
前記フィルターの往復路を構成する上レール及び下レールと、
前記フィルターを、
前記上レールから前記下レールへ、又は、前記下レールから前記上レールへ案内するレールＵターン部と、
前記ラック部と噛み合って前記フィルターを移動させるモーターギアと、
前記フィルターが接触することで前記フィルターの位置を検知するセンサーと、を有し、
前記モーターギアが前記レールＵターン部の近傍に設置され、前記センサーが前記レールの前記レールＵターン部とは反対側近傍に設置されており、
前記フィルターの長さを、前記センサーから前記モーターギアに至るまでの長さよりも長いものとしている
ことを特徴とする清掃装置。
【請求項２】
前記上レールと前記下レールの端部は、合流して１つのレールとなっており、
前記センサーを合流した前記レールの端部に設置している
ことを特徴とする請求項１に記載の清掃装置。
【請求項３】
前記フィルターを並列に２枚設けるものにおいて、
前記フィルター間にシーソー機構を設け、
１個の前記センサーで前記フィルターの位置を検知可能としている
ことを特徴とする請求項２に記載の清掃装置。
【請求項４】
前記フィルターに、前記フィルターの移動を停止させる停止手段を設け、
前記停止手段は、
前記フィルターの前記ラック部の両端部の外側に、前記モーターギアと噛み合わない部位で形成されている
ことを特徴とする請求項１〜３のいずれか一項に記載の清掃装置。
【請求項５】
前記フィルターの厚さをｂ、前記上レール及び前記下レールの幅をａとし、
ｂ／ａの値が５０％〜７０％の範囲内となるように前記ａ及び前記ｂを設定している
ことを特徴とする請求項１〜４のいずれか一項に記載の清掃装置。
【請求項６】
前記フィルター及び前記モーターギアを押圧するとともに、前記フィルタに捕集された塵埃を回収するダストボックスを設けた
ことを特徴とする請求項１〜５のいずれか一項に記載の清掃装置。
【請求項７】
前記ダストボックスの左右一方側に設けられ、前記レールが設置される枠体に挿入されることで前記ダストボックスを前記枠体に取付支持するボスと、
前記ダストボックスの前記ボスとは反対側に設けられ、前記ダストボックスを前記枠体に固定支持するスライドストッパーと、を設けている
ことを特徴とする請求項６に記載の清掃装置。
【請求項８】
前記ダストボックスに前記フィルターの移動を誘導するフィルターガイドを設けている
ことを特徴とする請求項６又は７に記載の清掃装置。
【請求項９】
前記フィルターガイドは、
前記上レールに沿って立設するように設けられている
ことを特徴とする請求項８に記載の清掃装置。
【請求項１０】
前記請求項１〜９のいずれか一項に記載の清掃装置を搭載した
ことを特徴とする空気調和機。
【発明の詳細な説明】
【技術分野】
【０００１】
本発明は、室内機内に取り付けられるフィルターの清掃を自動的に行なう清掃装置を搭載した空気調和機に関するものである。
【背景技術】
【０００２】
空気調和機には、エアコン等の空気調和機の室内機内に、室内機内に取り入れる空気に含まれている埃等の塵埃を捕集するフィルターが設けられている。そして、従来から、室内機内に設置されたフィルターを自動的に清掃するようにした空気調和機が種々提案されている。そのようなものとして、フィルターが１本の半円軌道レールに沿って往復運動し、その端部に配されたリミットスイッチをフィルターが押すことでフィルターの位置を検出するようにした清掃装置を有する空気調和機が提案されている（たとえば、特許文献１参照）。
【０００３】
また、ラック部が設けられたフィルターを駆動モーターギアに押圧するため、別体のフィルター押さえパーツを用い、別体のフィルター押さえパーツ用ストッパー複数個で固定し、フィルターの交換は、そのフィルター押さえパーツと、ダストボックスを外してから行なうようにした清掃装置を有する空気調和機が提案されている（たとえば、特許文献２参照）。さらに、ダストボックスの本体の固定には別体のダストボックスストッパー複数個を用いるようにした清掃装置を有する空気調和機が提案されている（たとえば、特許文献３参照）。
【０００４】
【特許文献１】特開２００５−１９５２４０号公報（第５頁、第２図）
【特許文献２】特開２００５−３００１５５号公報（第６頁、第２図）
【特許文献３】特開２００５−０２４１３４号公報（第３頁、第４図）
【発明の開示】
【発明が解決しようとする課題】
【０００５】
特許文献１に記載の技術においては、１回のフィルター往復運動に対し、１回しかリミットスイッチを押すことができなかったため、フィルター往復運動途中での位置検知ができないという課題があった。また、特許文献２に記載の技術においては、折り返しのタイミングをモーターの送り量で決定しており、モーターのばらつき等があった場合に完全にフィルターが移動できず、最後まで清掃できないという課題もあった。さらに、特許文献３に記載の技術においては、フィルターとそのフィルターの駆動モーターギアとが押圧されていないと、歯飛びしてしまうといった課題もあった。
【０００６】
本発明は、上記のような課題を解決するためになされたもので、フィルターの位置検知を容易かつ正確にできるフィルターの清掃装置及びこれを搭載した空気調和機を提供することを目的としている。
【課題を解決するための手段】
【０００７】
本発明に係る清掃装置は、空気調和機に搭載される清掃装置であって、ラック部が設けられ、レールに沿って移動可能に配置され、塵埃を捕集するフィルターと、前記フィルターの往復路を構成する上レール及び下レールと、前記フィルターを、前記上レールから前記下レールへ、又は、前記下レールから前記上レールへ案内するレールＵターン部と、前記ラック部と噛み合って前記フィルターを移動させるモーターギアと、前記フィルターが接触することで前記フィルターの位置を検知するセンサーと、を有し、前記モーターギアが前記レールＵターン部の近傍に設置され、前記センサーが前記レールの前記レールＵターン部とは反対側近傍に設置されており、前記フィルターの長さを、前記センサーから前記モーターギアに至るまでの長さよりも長いものとしていることを特徴とする。また、本発明に係る空気調和機は、上記の清掃装置を搭載したことを特徴とする。
【発明の効果】
【０００８】
本発明に係る清掃装置によれば、フィルターが１往復する間に上レール上端で１回、下レール上端で１回それぞれセンサーをＯＮにすることができ、フィルターの往復運動１回でフィルターの運動状態を２回検知するので、往復それぞれでフィルターの位置検出をすることができる。また、本発明に係る空気調和機によれば、上記の清掃装置を搭載しているので、確実にフィルターの位置検知を行なうことができる。
【発明を実施するための最良の形態】
【０００９】
以下、本発明の実施の形態を図面に基づいて説明する。
実施の形態１．
図１及び図２は、本発明の実施の形態１に係る清掃装置５０の断面構成を示す概略断面図である。図３は、フィルター１を２つ設けた清掃装置５０を説明するための説明図である。図１〜図３に基づいて、空気調和機の室内機に搭載される清掃装置５０の構成及び動作について説明する。図１がフィルター１が上レール２上でリミットスイッチ５をＯＮにした初期状態を、図２がフィルター１が下レール３上でリミットスイッチ５をＯＮにした状態を、それぞれ示している。なお、図１を含め、以下の図面では各構成部材の大きさの関係が実際のものとは異なる場合がある。
【００１０】
この清掃装置５０は、空気調和機の室内機（実施の形態６参照）に取り付けられ、室内機内に取り付けられるフィルター１の清掃を自動的に行なうものである。図１及び図２に示すように、清掃装置５０は、枠体５０ａと、フィルター１と、上レール２、下レール３、リミットスイッチ５、レールＵターン部６、及び、モーターギア７を少なくとも有している。また、上レール２または下レール３を沿うようにフィルター１が取り付けられている。このフィルター１には、複数個のラック部８が設けられている。また、フィルター１は、図３に示すように２つ設けられることが一般的であるが、フィルター１の設置個数を特に限定するものではない。
【００１１】
上レール２は、枠体５０ａ内の上面に沿って設けられており、フィルター１の往復路となるものである。下レール３は、枠体５０ａ内の下面に沿って設けられており、上レール２と同様にフィルター１の往復路となるものである。なお、上レール２及び下レール３は、略同等の長さとしている。また、上レール２及び下レール３のレールＵターン部６とは反対側端部を合流させ１つのレール（上下レール）とし、この端部（上下レール端部４）にリミットスイッチ５が設置されている。リミットスイッチ５は、センサーとして機能し、上下レール端部４に設けられており、フィルター１によってＯＮされることでフィルター１の信号を取り込みフィルター１の位置を検知するようになっている。
【００１２】
レールＵターン部６は、枠体５０ａ内の一端に設けられており、フィルター１を上レール２から下レール３へ、又は、下レール３から上レール２へ案内するものである。つまり、フィルター１は、レールＵターン部６でＵターンするように移動するようになっているのである。モーターギア７は、レールＵターン部６の近傍に設けられており、フィルター１を上レール２または下レール３に沿って駆動させるものである。フィルター１に設けられているラック部８がモーターギア７と噛み合うことによって、モーターギア７の回転動作に伴って、フィルター１が駆動するようになっている。フィルター１は、室内機内に吸い込まれる空気に含まれている塵埃を捕集するものである。このフィルター１の長さは、リミットスイッチ５からモーターギア７に至るまでの長さよりも長いものとしている。
【００１３】
ここで、清掃装置５０の動作について説明する。
図１において、上レール２に沿って配置されたフィルター１は、上下レール端部４に配置されたリミットスイッチ５に接触し、リミットスイッチ５をＯＮにしている。モーターギア７が回転（紙面左回転）すると、フィルター１は、上レール２からレールＵターン部６を通り、下レール３を移動して図２の状態になり、上下レール端部４に配置されたリミットスイッチ５をＯＮにする。その後、モーターギア７が逆回転（紙面右回転）すると、フィルター１は、１８０°反転し、下レール３からレールＵターン部６を通り、上レール２を移動して図１の状態になり、上下レール端部４に配置されたリミットスイッチ５をＯＮにする。
【００１４】
すなわち、図１の初期状態にあるフィルター１は、モーターギア７が回転することによって、上レール２、レールＵターン部６及び下レール３に沿って移動し、図２の状態になり、図２の状態にあるフィルター１は、モーターギア７が逆回転することによって、下レール３、レールＵターン部６及び上レール２に沿って移動し、図１の状態になるのである。清掃装置５０は、このようにフィルター１を往復運動させるようになっている。そして、以上のように構成したことで、清掃装置５０は、フィルター１の往復運動１回で１個のリミットスイッチ５を２回ＯＮにできるので、往復それぞれでフィルター１の位置検知ができるようになっている。
【００１５】
なお、図示していないが、フィルター１の移動経路内にブラシ等の除塵手段を設け、フィルター１の往復運動中にフィルター１を除塵手段によって清掃し、フィルター１に捕集されている塵埃を掻き落としたり、叩き落としたりして、回収するようにしている。塵埃の回収は、実施の形態２で説明するような着脱自在なダストボックスで行なうとよい。また、フィルター１の清掃動作は、定期的に行なうようにしてもよく、ユーザからの指示があったときに行なうようにしてもよい。また、フィルター１を着脱自在にし、ユーザが手動で清掃することを可能にしておいてもよい。  
【００１６】
また、フィルター１の長さをリミットスイッチ５からモーターギア７に至るまでの上レール２あるいは下レール３の長さよりも長く設定しているので、フィルター１に設けたラック部８がモーターギア７から外れることなく、フィルター１がリミットスイッチ５を確実にＯＮするようになっており、フィルター１の位置検知を確実に実行できるようになっている。また、図３に示すように枠体５０ａの左右にフィルター１が並列に２枚ある場合も、両フィルター１間であって、リミットスイッチ５の近傍に設置したシーソー機構９を用いて１個のリミットスイッチ５を用いれば同様の効果を得ることができる。
【００１７】
ここで、図３に基づいて、シーソー機構９の具体的な動作について説明する。図３（ａ）がフィルターを２つ設けた清掃装置を説明するための部分拡大斜視図を、図３（ｂ）がシーソー機構９の正面図を、図３（ｃ）がシーソー機構９が紙面左側から持ち上げられた概略図を、図３（ｄ）がシーソー機構９が紙面右側から持ち上げられた概略図を、図３（ｅ）がシーソー機構９が紙面両側から持ち上げられた概略図を、それぞれ示している。図３（ａ）及び図３（ｂ）に示すように、シーソー機構９は、このシーソー機構９の略中心部に設けられている支点９ａで軸支されている。
【００１８】
そして、フィルター１がシーソー機構９の紙面左側から移動してきた場合には、図４（ｃ）に示すようにシーソー機構９が紙面右側に回転し、シーソー機構９の紙面左側が持ち上げられる（矢印Ａ）。この状態でフィルター１がシーソー機構９の紙面右側から移動してきた場合には、図４（ｅ）に示すようにシーソー機構９の紙面両側が持ち上げられ、リミットスイッチ５がＯＮされるようになっている（矢印Ｃ）。一方、フィルター１がシーソー機構９の紙面右側から移動してきた場合には、図４（ｄ）に示すようにシーソー機構９が紙面左側に回転し、シーソー機構９の紙面右側が持ち上げられる（矢印Ｂ）。この状態でフィルター１がシーソー機構９の紙面左側から移動してきた場合には、図４（ｅ）に示すようにシーソー機構９の紙面両側が持ち上げられ、リミットスイッチ５がＯＮされるようになっている（矢印Ｃ）。
【００１９】
実施の形態２．
図４は、本発明の実施の形態２に係る清掃装置５１を説明するための説明図である。図５は、ボス１０の形状を説明するための部分拡大斜視図である。図４及び図５に基づいて、実施の形態２に係る清掃装置５１の構成について説明する。図４（ａ）がダストボックス１２を取り外した状態の正面図を、図４（ｂ）がダストボックス１２を取り付けた状態を、それぞれ示している。なお、実施の形態２では、実施の形態１と同一部分には同一符号を付し、実施の形態１との相違点を中心に説明するものとする。
【００２０】
この実施の形態２に係る清掃装置５１は、実施の形態１をより確実に行うために、フィルター１とモーターギア７とを押圧し、かつ、枠体５１ａへの固定を兼ねるボス１０をダストボックス１２に一体成形で設けるようにしたものである。この清掃装置５１の基本的な構成は、実施の形態１に係る清掃装置５０と同様である。つまり、清掃装置５１は、枠体５１ａと、図示省略の上レール、図示省略の下レール、図示省略のリミットスイッチ、図示省略のレールＵターン部、及び、モーターギア７を少なくとも有している。
【００２１】
また、清掃装置５１は、枠体５１ａにフィルター１及びモーターギア７を押圧するダストボックス１２を備えている。ダストボックス１２には、枠体５１ａに形成した第１凹部１０ａに挿入し、ダストボックス１２を枠体５１ａに支持するボス１０と、ボス１０の反対側端部を枠体５１ａに形成した第２凹部１３ａに挿入し、ダストボックス１２を枠体５１ａに支持するスライドストッパー１３と、が設けられている。ボス１０とスライドストッパー１３は、ダストボックス１２の左右一方ずつに設けられている。このダストボックス１２は、フィルター１から除塵された塵埃を、蓄えておくものである。
【００２２】
このように構成された清掃装置５１のダストボックス１２の挿入方法について説明する。ダストボックス１２を、モーターギア７の方向にボス１０を斜め方向から挿入し、ボス１０を枠体５１ａの第１凹部１０ａに装着する。つまり、ボス１０は、取付軸として機能し、ダストボックス１２を枠体に取付支持するのである。ボス１０を第１凹部１０ａに装着したら、ダストボックス１２を水平にするために、スライドストッパー１３側を上方に移動させる。そして、スライドストッパー１３を操作し、このスライドストッパー１３を第２凹部１３ａに挿入し、ダストボックス１２を枠体５１ａに固定支持する。
【００２３】
以上のように構成したので、清掃装置５１は、フィルター１の誤作動を抑制し、フィルター１がモーターギア７から浮かず、リミットスイッチ５を確実にＯＮにすることができるようになる。また、清掃装置５１は、ダストボックス１２の固定に別部品を必要としないため、部品点数を減らした安価なものとすることができる。さらに、ユーザーのフィルター１の交換に要する手間を減少することができる。なお、ボス１０は、その先端部に図５のような面取り部１１を形成しておけば、ダストボックス１２の着脱時の抵抗を減少させることができ、挿入性を向上することができる。この面取り部１１の角度、長さ及び大きさを特に限定するものではない。
【００２４】
実施の形態３．
図６は、本発明の実施の形態３に係る清掃装置５２の一部を拡大して示す拡大側面図である。図６に基づいて、実施の形態３に係る清掃装置５２の構成について説明する。なお、実施の形態３では、実施の形態１及び実施の形態２と同一部分には同一符号を付し、実施の形態１及び実施の形態２との相違点を中心に説明するものとする。この実施の形態３に係る清掃装置５２は、実施の形態１をより確実に行うために、フィルター１の移動を誘導するフィルターガイド１４をダストボックス１２に一体成形で設けるようにしたものである。
【００２５】
この清掃装置５２の基本的な構成は、実施の形態１に係る清掃装置５０及び実施の形態２に係る清掃装置５１と同様である。つまり、清掃装置５２は、枠体５２ａと、上レール２、下レール３、図示省略のリミットスイッチ、レールＵターン部６、及び、モーターギア７を少なくとも有している。また、清掃装置５２は、実施の形態２に係る清掃装置５１と同様にダストボックス１２を備えているが、ダストボックス１２にフィルター１の移動を誘導するフィルターガイド１４を設けた点で、実施の形態２に係る清掃装置５１と相違している。フィルターガイド１４は、上レール２に沿って立設するように設けられている。
【００２６】
以上のように構成したので、清掃装置５２は、実施の形態２に係る清掃装置５１と同様の効果を有するとともに、フィルター１を撓ませることなくリミットスイッチ５を確実にＯＮにすることができるようになる。また、清掃装置５２は、フィルター１を誘導するための別部品が必要としないため、部品点数を減らした更に安価なものとすることができる。なお、実施の形態２と同様に、ボス１０の先端部には、面取り部１１を形成しておくことが望ましい。
【００２７】
実施の形態４．
図７は、本発明の実施の形態４に係る清掃装置５３に取り付けられるフィルター１の構成を示す斜視図である。図８は、フィルター１の動作が停止した状態を示す拡大断面図である。図７及び図８に基づいて、実施の形態４に係る清掃装置５３の特徴事項であるフィルター１の停止手段１５について説明する。なお、実施の形態４では、実施の形態１〜実施の形態３と同一部分には同一符号を付し、実施の形態１〜実施の形態３との相違点を中心に説明するものとする。この実施の形態３に係る清掃装置５３は、実施の形態１〜実施の形態３の特徴事項に加え、フィルター１の物理的な停止手段１５をラック部８の両端に設けるようにしたものである。
【００２８】
この清掃装置５３の基本的な構成は、実施の形態１に係る清掃装置５０、実施の形態２に係る清掃装置５１及び実施の形態３に係る清掃装置５２と同様である。つまり、清掃装置５３は、図示省略の枠体と、図示省略の上レール、図示省略の下レール、図示省略のリミットスイッチ、図示省略のレールＵターン部、及び、モーターギア７を少なくとも有している。この清掃装置５３に取り付けるフィルター１に停止手段１５を設けている点で、実施の形態１に係る清掃装置５０、実施の形態２に係る清掃装置５１及び実施の形態３に係る清掃装置５２と相違している。
【００２９】
フィルター１には、実施の形態１で説明したように複数のラック部８が設けられている。このラック部８は、モーターギア７と噛み合うような形状となっている。つまり、モーターギア７が回転動作することによって、ラック部８がモーターギア７と噛み合い、フィルター１が移動するようになっているのである。フィルター１には、ラック部８の端部からフィルター１の外周面にかけて停止手段１５が形成されている。つまり、モーターギア７と噛み合わないような形状を停止手段１５として、ラック部８とは別に形成しているのである。
【００３０】
つまり、図８に示すように、モーターギア７の回転動作でフィルター１が移動することになるが、フィルター１の停止手段１５のところでモーターギア７と噛み合わなくなるため、モーターギア７の駆動力がフィルター１に伝わらなくなるのである。以上のように構成したので、清掃装置５３は、実施の形態１に係る清掃装置５０、実施の形態２に係る清掃装置５１及び実施の形態３に係る清掃装置５２の有する効果に加え、ラック部８がモーターギア７から外れ、フィルター１が動作しなくなるのを確実に防ぐことができる。なお、停止手段１５の形状や大きさ等を特に限定するものではない。
【００３１】
実施の形態５．
図９及び１０は、本発明の実施の形態５に係る清掃装置５４の断面構成を示す概略断面図である。図９及び図１０に基づいて、空気調和機の室内機に搭載される清掃装置５４の構成及び動作について説明する。図９がフィルター１が上レール２上でリミットスイッチ５をＯＮにした初期状態を、図１０（ａ）がフィルター１が下レール３上でリミットスイッチ５をＯＮにした状態を、それぞれ示している。また、図１０（ｂ）及び図１０（ｃ）が尤度を説明するための概略図を示している。なお、実施の形態５では、実施の形態１〜実施の形態４と同一部分には同一符号を付し、実施の形態１〜実施の形態４との相違点を中心に説明するものとする。
【００３２】
この実施の形態５に係る清掃装置５４の基本的な構成は、実施の形態１に係る清掃装置５０、実施の形態２に係る清掃装置５１、実施の形態３に係る清掃装置５２及び実施の形態４に係る清掃装置５３と同様である。ただし、清掃装置５４は、上レール２及び下レール３の幅（フィルター１の移動方向の高さ：図１０（ｂ）で示すａ）をフィルター１の厚さ（図１０（ｂ）で示すｂ）に対して尤度を小さくしている点で、実施の形態１に係る清掃装置５０、実施の形態２に係る清掃装置５１、実施の形態３に係る清掃装置５２及び実施の形態４に係る清掃装置５３と相違している。
【００３３】
たとえば、（フィルター１の厚さｂ）／（上レール２及び下レール３の幅ａ）が６０％程度となるように、上レール２及び下レール３の幅ａを５ｍｍ、フィルター１の厚さｂを２．７ｍｍ程度に設定するとよい。ｂ／ａの値が大きすぎると、フィルター１が動きにくくなってしまい、ｂ／ａの値が小さすぎると、フィルター１が図１０（ｃ）に示すように撓んでしまうことになってしまう。つまり、上レール２及び下レール３の幅ａをフィルター１の厚さｂに対して尤度を小さくとは、ｂ／ａの値に適度な余裕を持たせるということを意味しているのである。
【００３４】
そこで、清掃装置５４では、上レール２及び下レール３の幅ａをフィルター１の厚さｂに対して尤度を小さくなるように、つまりｂ／ａが６０％程度となるように、フィルター１の厚さと、上レール２及び下レール３の幅を設定するようにしているのである。以上のように構成したので、清掃装置５４は、実施の形態１に係る清掃装置５０、実施の形態２に係る清掃装置５１、実施の形態３に係る清掃装置５２及び実施の形態４に係る清掃装置５３の有する効果に加え、フィルター１が上レール２及び下レール３の間で撓まず、より確実にリミットスイッチ５をＯＮにすることができる。なお、ｂ／ａが６０％となるように設定した場合を例に説明したが、５０％〜７０％の範囲内であれば同様の効果を得ることができる。
【００３５】
実施の形態６．
図１１は、本発明の実施の形態６に係る室内機１００の概略構成を示す縦断面図である。図１１に基づいて、実施の形態１〜実施の形態５のいずれかの清掃装置を搭載した室内機１００の構成及び動作について説明する。この実施の形態６に係る室内機１００は、室内の壁等に設置され、冷媒を循環させる冷凍サイクルを利用し、図示省略の室外機から供給される冷媒によって室内等の空調対象域に空調空気（冷房用空気又は暖房用空気）を供給するものである。
【００３６】
室内機１００は、室内空気を内部に吸い込むための吸込口１６及び空調空気を空調対象域に供給するための吹出口１９が形成されている筐体２０と、この筐体２０内に収納され、吸込口１６から空気を吸い込み、吹出口１９から空気を吹き出す送風機１８と、吸込口１６から送風機１８までの風路に配設され、冷媒を空気とで熱交換することで空調空気を作り出す熱交換器１７と、筐体２０の前面を覆う前面パネル２１と、実施の形態１〜実施の形態５に係るいずれかの清掃装置と、を有している。そして、これらの構成要素により空気の送出路が形成されている。
【００３７】
吸込口１６は、筐体２０の上部に開口形成されている。吹出口１９は、筐体２０の下部に開口形成されている。送風機１８は、たとえば貫流送風機等で構成するとよい。熱交換器１７は、筐体２０の前面下側に配設された前面下側熱交換器と、筐体２０の前面上側に配設された前面上側熱交換器と、筐体２０の背面上側に配設された背面熱交換器とで構成されている。そして、前面下側熱交換器と前面上側熱交換器とが室内機１００を側面から見た状態において略くの字状となって送風機１８の上側（吸込口１６側）から前面までを、背面熱交換器が送風機１８の上側から背面上側までを取り囲むように配置されている。この熱交換器１７は、たとえばフィンチューブ型熱交換器等で構成するとよい。
【００３８】
ここで、室内機１００内における空気の流れについて簡単に説明する。
まず、空気は、筐体２０の上部に形成されている吸込口１６から室内機１００内に流れ込む。この空気は、送風機１８を取り囲むように配置されている熱交換器１７を通過する際に熱交換器１７内を導通している冷媒によって加熱又は冷却されて空調空気となる。そして、空調空気は、送風機１８を経て筐体２０の下部に形成されている吹出口１９から室内機１００の外部へ送出されるようになっている。
【００３９】
室内機１００には、実施の形態１〜実施の形態５に係るいずれかの清掃装置を搭載しているので、フィルター１の往復運動１回でリミットスイッチ５を２回ＯＮにできるものとすることができる。実施の形態２に係る清掃装置５１を搭載すれば、フィルター１がモーターギア７から浮かず、リミットスイッチ５をより確実にＯＮにすることができ、安価なものとすることができる。実施の形態３に係る清掃装置５２を搭載すれば、フィルター１を撓ませることなくリミットスイッチ５を確実にＯＮにすることができ、更に安価なものとすることができる。実施の形態４に係る清掃装置５３を搭載すれば、フィルター１が動作しなくなるのを確実に防ぐことができる。実施の形態５に係る清掃装置５４を搭載すれば、より確実にリミットスイッチ５をＯＮにすることができる。
【図面の簡単な説明】
【００４０】
【図１】実施の形態１に係る清掃装置の断面構成を示す概略断面図である。
【図２】実施の形態１に係る清掃装置の断面構成を示す概略断面図である。
【図３】フィルターを２つ設けた清掃装置を説明するための説明図である。
【図４】実施の形態２に係る清掃装置を説明するための説明図である。
【図５】ボスの形状を説明するための部分拡大斜視図である。
【図６】実施の形態３に係る清掃装置の一部を拡大して示す拡大側面図である。
【図７】実施の形態４に係る清掃装置に取り付けられるフィルターの構成を示す斜視図である。
【図８】フィルターの動作が停止した状態を示す拡大断面図である。
【図９】実施の形態５に係る清掃装置の断面構成を示す概略断面図である。
【図１０】実施の形態５に係る清掃装置の断面構成を示す概略断面図である。
【図１１】実施の形態６に係る室内機の概略構成を示す縦断面図である。
【符号の説明】
【００４１】
１  フィルター、２  上レール、３  下レール、４  上下レール端部、５  リミットスイッチ、６  レールＵターン部、７  モーターギア、８  ラック部、９  シーソー機構、１０  ボス、１０ａ  第１凹部、１１  面取り部、１２  ダストボックス、１３  スライドストッパー、１３ａ  第２凹部、１４  フィルターガイド、１５  停止手段、１６  吸込口、１７  熱交換器、１８  送風機、１９  吹出口、２０  筐体、２１  前面パネル、５０  清掃装置、５０ａ  枠体、５１  清掃装置、５１ａ  枠体、５２  清掃装置、５２ａ  枠体、５３  清掃装置、５４  清掃装置、１００  室内機。
【図１】
2010071562.tif 000003
【図２】
2010071562.tif 000004
【図３】
2010071562.tif 000005
【図４】
2010071562.tif 000006
【図５】
2010071562.tif 000007
【図６】
2010071562.tif 000008
【図７】
2010071562.tif 000009
【図８】
2010071562.tif 000010
【図９】
2010071562.tif 000011
【図１０】
2010071562.tif 000012
【図１１】
2010071562.tif 000013